(57)【要約】【課題】不正行為や誤動作の発生を防止し得るコネクタ付き電気配線、コイン投出装置及び遊技機を提供する。【解決手段】コネクタ１と、該コネクタ１の一端面１ａより導入されて該コネクタ１の内部に電気的に接続された電気配線２とを備えるコネクタ付き電気配線１０である。コネクタ１の外周部から電気配線２における該コネクタ１からの露出部にかけての部位６に外挿された状態で熱収縮することにより該部位６を略密着状態で被覆した熱収縮チューブ４を備える。熱収縮チューブ４よりも小径に熱収縮する小径熱収縮チューブ５を、熱収縮チューブ４の外周部より電気配線２における該熱収縮チューブ５からの露出部にかけての部位に配置して熱収縮させ、熱収縮チューブ４を移動規制した。コイン投出装置においてコネクタ付き電気配線１０を備える。遊技機においてコネクタ付き電気配線１０を備える。【選択図】　　　　図１
2004103330.tif 000002
【特許請求の範囲】
【請求項１】
コネクタと、該コネクタ内に導入されて該コネクタの内部に電気的に接続された電気配線とを備えるコネクタ付き電気配線において、
前記コネクタの外周部より前記電気配線における該コネクタからの露出部にかけての部位に外挿された状態で熱収縮することにより該部位を略密着状態で被覆した熱収縮チューブを備え、
更に、前記熱収縮チューブよりも小径に熱収縮する小径熱収縮チューブを、前記熱収縮チューブの外周部より前記電気配線における該熱収縮チューブからの露出部にかけての部位に外挿し、該小径熱収縮チューブを熱収縮させることによって、該小径熱収縮チューブにより前記熱収縮チューブを移動規制したことを特徴とするコネクタ付き電気配線。
【請求項２】
コインを貯留するとともに該貯留したコインを投出することが可能に構成され、遊技機に備えられるコイン投出装置において、
前記遊技機の本体部に対し当該コイン投出装置の本体部を電気的に接続するために請求項１に記載のコネクタ付き電気配線を備え、該コネクタ付き電気配線のコネクタが前記遊技機の本体部に接続されて、該遊技機の本体部からの指令を該コネクタ付き電気配線を介して当該コイン投出装置の本体部が受信しコインを投出することを特徴とするコイン投出装置。
【請求項３】
請求項１に記載のコネクタ付き電気配線を備えることを特徴とする遊技機。
【発明の詳細な説明】
【０００１】
【発明の属する技術分野】
本発明は、コネクタ付き電気配線、コイン投出装置及び遊技機に関する。
【０００２】
【従来の技術】
従来より、例えば装置どうしを電気的に接続するための電気配線として、図３に示すように、コネクタ１と、該コネクタ１の一端面１ａより該コネクタ１内にそれぞれ導入されて該コネクタ１の内部に電気的に接続された複数の電気配線２とを備えるコネクタ付き電気配線が広く用いられている。
ここで、より具体的には、コネクタ１には、例えば図４に示すように、一端面１ａから他端面１ｂ（図３（ａ））に亘ってそれぞれ貫通状態となる複数の孔部１ｃが形成され、各孔部１ｃ内には端子１ｄが設けられている。また、各端子１ｄには電気配線２の一端がそれぞれ電気的に接続されている。
このようなコネクタ付き電気配線を装置が備える場合、該コネクタ付き電気配線のコネクタ１を他端面１ｂ側より他のコネクタ（図示略）に差し込むことによって各端子１ｄを他のコネクタ側の各端子（図示略）に電気的に接続することができ、これにより装置どうしを容易に接続することができる。
【０００３】
このようなコネクタ付き電気配線を備える装置としては、例えばスロットマシン等の遊技機に備えられるコイン投出装置が知られている。
ここで、コイン投出装置は、上側に向け開口する箱形に形成されコインを貯留するコイン容器と、このコイン容器の下側に配されるベース面と、このベース面上に回動可能に設けられた回転ディスク等を備えている。
この回転ディスクは、該回転ディスクの表裏を貫通するコイン取込穴を有し、このコイン取込穴を介してコイン容器内のコインをベース面との間に取り込み可能となっている。
さらに、回転ディスクの裏面側には、該回転ディスクとベース面との間に取り込まれたコインを、該回転ディスクの回動に伴って後押することにより、ベース面上の通過口近傍に運び、該通過口を介して当該回転ディスクの遠心方向に投出するコイン押出部（「ひれ」ともいう。）が設けられている。
つまり、回転ディスクは、コイン取込穴によりコイン容器内のコインを取り込んで回転するのに伴わせて該コインを当該コイン投出装置外に順次投出することができるようになっている。
【０００４】
また、このようなコイン投出装置は、回転ディスクの駆動手段としての駆動モータ、投出されるコインを検出するための検出センサ等を備えている。
ここで、駆動モータは遊技機本体部側からの指令信号に基づき所要数のコインを投出させるべく回転するようになっている一方、検出センサはコインの検出信号を遊技機の本体部側に出力するようになっている。このため、コイン投出装置は、コネクタ付き電気配線を介して遊技機本体部と電気的に接続され、該コネクタ付き電気配線を介して遊技機本体部とコイン投出装置との間で検出信号及び指令信号が送受信されるようになっている。
【０００５】
ところで、コネクタ１は、コイン投出装置を遊技機本体部に接続した状態でも、図４に示すように、孔部１ｃ内の各端子１ｄを一端面１ａの外側より臨める状態となっている。
このため、例えば、コネクタ１の一端面１ａ側から孔部１ｃ内に針金等を差し込んで端子１ｄどうしをショートさせることにより駆動モータを駆動させてコイン投出装置よりコインを投出させるような不正行為が行われてしまう可能性がある。
或いは、不正行為でなくとも、何らかの原因で端子１ｄに導電部材が接触してショートしてしまうことにより誤動作が発生する可能性もある。
【０００６】
このような不正行為や誤動作の発生を防止するためには、コネクタの外周部より電気配線におけるコネクタからの露出部にかけての部位を被覆することが考えられる。このようにコネクタの外周部を被覆した従来の技術としては、例えば、特許文献１が挙げられる。また、特許文献１の技術においては、被覆部材として熱収縮チューブを用いている。
【０００７】
【特許文献１】
特開平６−２０３９１６号公報（第１図、第２図）
【０００８】
【発明が解決しようとする課題】
しかしながら、コネクタには様々な寸法がある一方で、熱収縮チューブの収縮率は定まっているため、例えばコネクタの寸法に対して電気配線の束の寸法が小さい場合には、熱収縮チューブがコネクタには十分に密着するけれども電気配線には十分に密着しない可能性がある。従って、例えば特許文献１の技術では、熱収縮チューブが脱落してしまう可能性がある。
【０００９】
この発明は、上記のような問題点を解決するためになされたもので、熱収縮チューブにより不正行為や誤動作の発生を防止し得るとともに、該熱収縮チューブの脱落を防止し得るコネクタ付き電気配線、コイン投出装置及び遊技機を提供することを目的とする。
【００１０】
【課題を解決するための手段】
上記課題を解決するため、
請求項１記載の発明は、図１及び図２に示すように、
コネクタ１と、該コネクタ内に導入されて該コネクタの内部に電気的に接続された電気配線２とを備えるコネクタ付き電気配線１０において、
前記コネクタの外周部より前記電気配線における該コネクタからの露出部にかけての部位（熱収縮チューブ配設部６）に外挿された状態で熱収縮することにより該部位を略密着状態で被覆した熱収縮チューブ４を備え、
更に、前記熱収縮チューブ４よりも小径に熱収縮する小径熱収縮チューブ５を、前記熱収縮チューブの外周部より前記電気配線２における該熱収縮チューブからの露出部にかけての部位（小径熱収縮チューブ配設部７）に外挿し、該小径熱収縮チューブを熱収縮させることによって、該小径熱収縮チューブにより前記熱収縮チューブを移動規制したことを特徴としている。
【００１１】
請求項１記載の発明によれば、コネクタの外周部より電気配線における該コネクタからの露出部にかけての部位に外挿された状態で熱収縮することにより該部位を略密着状態で被覆した熱収縮チューブを備えるので、コネクタ内部への電気配線の接続部が熱収縮チューブによって外部から保護された状態となる。よって、例えば針金等を差し込んで該接続部を意図的にショートさせるような不正行為や、該接続部に何らかの原因で導電部材が接触してショートしてしまうことによる誤動作の発生を防止できる。
しかも、小径熱収縮チューブにより熱収縮チューブを移動規制したので、該熱収縮チューブがコネクタの外周部より電気配線における該コネクタからの露出部にかけての部位から脱落してしまうことを防止できる。
【００１２】
請求項２に記載の発明は、コインを貯留するとともに該貯留したコインを投出することが可能に構成され、遊技機に備えられるコイン投出装置において、
前記遊技機の本体部に対し当該コイン投出装置の本体部を電気的に接続するために請求項１に記載のコネクタ付き電気配線１０を備え、該コネクタ付き電気配線のコネクタ１が前記遊技機の本体部に接続されて、該遊技機の本体部からの指令を該コネクタ付き電気配線を介して当該コイン投出装置の本体部が受信しコインを投出することを特徴としている。
【００１３】
請求項２に記載の発明によれば、遊技機本体部に対する電気的接続用に請求項１に記載のコネクタ付き電気配線を備え、該コネクタ付き電気配線のコネクタが遊技機本体部に接続されて、該遊技機本体部からの指令を該コネクタ付き電気配線を介してコイン投出装置の本体部が受信しコインを投出するので、請求項１と同様の効果が得られ、例えば針金等を差し込んでコネクタ内部への電気配線の接続部を意図的にショートさせるような不正行為によりコインを投出させられたり、該接続部に何らかの原因で導電部材が接触しショートすることにより誤動作を生じコインを投出してしまったりすることを防止できる。
【００１４】
請求項３に記載の発明は、遊技機において、請求項１に記載のコネクタ付き電気配線を備えることを特徴としている。
【００１５】
請求項３に記載の発明によれば、請求項１に記載のコネクタ付き電気配線を備えるので、請求項１と同様の効果が得られる。
【００１６】
【発明の実施の形態】
以下、図面を参照して、本発明に係る実施の形態について説明する。
【００１７】
図１に示すように、本実施形態のコネクタ付き電気配線１０は、コネクタ１と、該コネクタ１内部に接続された複数の電気配線２と、これら複数の電気配線２を結束した結束チューブ３と、熱収縮チューブ４と、該熱収縮チューブ４よりも小径の小径熱収縮チューブ５等を備えて概略構成されている。
【００１８】
このうちコネクタ１は、図４に示すように、その一端面１ａから他端面１ｂに亘ってそれぞれ貫通状態となる複数の孔部１ｃを備え、各孔部１ｃ内には端子１ｄが設けられている。また、各端子１ｄには電気配線２の一端がそれぞれ電気的に接続されている。すなわち、各電気配線２は、コネクタ１の一端面１ａよりコネクタ１内に導入されて該コネクタ１の内部の端子１ｄに電気的に接続されている。
【００１９】
さらに、各電気配線２は、図３に示すように、結束チューブ３によりまとめて被覆されることで結束されている。ここで、各電気配線２においてコネクタ１内への導入部近傍では各電気配線２どうしが僅かずつ離れている。このため、該導入部近傍では結束チューブ３により各電気配線２を互いに密着するよう好適に結束することができない。よって、結束チューブは各電気配線２においてコネクタ１よりある程度離間した部位のみを結束している。
【００２０】
次に、熱収縮チューブ４、小径熱収縮チューブ５は、それぞれ加熱により熱収縮して内径が小さくなるように構成されている。熱収縮チューブ４、小径熱収縮チューブ５は、それぞれ熱収縮率（例えば、熱収縮前の状態と熱収縮後の状態での内径の比）が定まっていて、加熱により該熱収縮率に相当する分だけ熱収縮する。
【００２１】
なお、熱収縮チューブ４としては、熱収縮前はコネクタ１の外周部よりも内径が大きく、熱収縮後は該外周部よりも内径が小さくなるものを用いる。
また、小径熱収縮チューブ５としては、熱収縮前の内径は熱収縮後の熱収縮チューブ４の外径よりも大きく、熱収縮後には該外径よりも内径が小さくなるものを用いる。特に、本実施形態の場合の小径熱収縮チューブ５は、熱収縮前の内径は結束チューブ３の外径よりも大きく、熱収縮後は該外径よりも内径が小さくなるものを用いる。
【００２２】
このうち、先ず、熱収縮チューブ４をコネクタ１の外周部より電気配線２における該コネクタ１からの露出部にかけての部位、すなわち熱収縮チューブ配設部６（図１、図２）に外挿する。そして、熱収縮チューブ４を加熱する。すると、熱収縮チューブ４が熱収縮チューブ配設部６の形状に沿って熱収縮する結果、図２に示すように、熱収縮チューブ４が熱収縮チューブ配設部６に対し略密着状態となり、該熱収縮チューブ配設部６を熱収縮チューブ４により被覆した状態となる。
【００２３】
従って、コネクタ１の孔部１ｃ内の各端子１ｄが熱収縮チューブ４により外部から保護された状態となるので、コネクタ１の孔部１ｃ内に針金等を差し込んでコネクタ１内部の端子１ｄを意図的にショートさせるような不正行為や、該端子１ｄに何らかの原因で導電部材が接触してショートしてしまうことによる誤動作の発生を防止できる。
【００２４】
ところが、複数の電気配線２を合わせたよりもコネクタ１の外径の方が大きいため、熱収縮チューブ４はコネクタ１に対しては好適に略密着状態となるが、電気配線２に対する密着度は十分でない場合がある。
【００２５】
このため、本実施形態では、熱収縮チューブ４に加えて小径熱収縮チューブ５を備える。
つまり、先ず、小径熱収縮チューブ５を、コネクタ１の外周部を避けた位置で、熱収縮チューブ４の外周部より各電気配線２における該熱収縮チューブ４からの露出部にかけての部位、すなわち小径熱収縮チューブ配設部７（図１、図２）に外挿する。ここで、小径熱収縮チューブ配設部７は、結束チューブ３にまで亘るものとする。
次に、小径熱収縮チューブ５を加熱することによって、該小径熱収縮チューブ５を小径熱収縮チューブ配設部７の形状に沿わせて熱収縮させる。これにより、図１に示すように、小径熱収縮チューブ５が小径熱収縮チューブ配設部７に対し略密着状態となり、該小径熱収縮チューブ配設部７を小径熱収縮チューブ５により被覆した状態となる。
【００２６】
この状態では、熱収縮チューブ４の一端部を位置規制する第１くびれ部５ａが小径熱収縮チューブ５に形成されるため、該熱収縮チューブ４が移動規制されることとなる。
しかも、結束チューブ３より反力を受けることが可能な第２くびれ部５ｂも小径熱収縮チューブ５に形成されるため、該小径熱収縮チューブ５による熱収縮チューブ４の移動規制をより好適になし得ることとなる。
【００２７】
以上のような実施の形態のコネクタ付き電気配線１０によれば、コネクタ１の外周部より電気配線２における該コネクタ１からの露出部にかけての部位（熱収縮チューブ配設部６）に外挿された状態で熱収縮することにより該部位を略密着状態で被覆した熱収縮チューブ４を備えるので、コネクタ１内への電気配線２の導入部（つまり、孔部１ｃにおける一端部１ａ側の開口部）より針金等を差し込んでコネクタ１内部の端子１ｄ（コネクタ１内部への電気配線２の接続部）を意図的にショートさせるような不正行為や、該端子１ｄに何らかの原因で導電部材が接触してショートしてしまうことによる誤動作の発生を防止できる。
【００２８】
しかも、小径熱収縮チューブ５により熱収縮チューブ４を移動規制したので、該熱収縮チューブ４がコネクタ１の外周部から電気配線２における該コネクタ１からの露出部にかけての部位（熱収縮チューブ配設部６）から脱落してしまうことを防止できる。
【００２９】
次に、本実施形態のコイン投出装置は、コインを貯留するとともに該貯留したコインを投出することが可能に構成された装置であり、例えばスロットマシン等の遊技機に備えられる。
なお、本実施形態のコイン投出装置は、本実施形態のコネクタ付き電気配線１０を備える点の他は従来周知のコイン投出装置と同様であるので、図示を省略して以下簡単に説明する。
【００３０】
コイン投出装置の本体部は、上側に向け開口する箱形に形成されコインを貯留するコイン容器と、このコイン容器の下側に配されるベース面と、このベース面上に回動可能に設けられた回転ディスク等を備えている。回転ディスクは、該回転ディスクの表裏を貫通するコイン取込穴を有し、このコイン取込穴を介してコイン容器内のコインをベース面との間に取り込み可能となっている。回転ディスクの裏面側には、該回転ディスクとベース面との間に取り込まれたコインを、該回転ディスクの回動に伴って後押することにより、ベース面上の通過口近傍に運び、該通過口を介して当該回転ディスクの遠心方向に投出するコイン押出部（「ひれ」ともいう。）が設けられている。つまり、コイン投出装置は、コイン取込穴によりコイン容器内のコインを回転ディスクとベース面との間に取り込んだ状態で回転ディスクを回転させるのに伴わせて、該コインを当該コイン投出装置外に順次投出することができるようになっている。
また、コイン投出装置の本体部は、回転ディスクの駆動手段としての駆動モータ、投出されるコインを検出するための検出センサ等を備えている。
さらに、コイン投出装置は、当該コイン投出装置の本体部を遊技機の本体部に対し電気的に接続するために本実施形態のコネクタ付き電気配線１０を備える。そして、コネクタ付き電気配線１０のコネクタ１が遊技機の本体部側に設けられたコネクタ（図示略）に接続された状態で、遊技機の本体部からのコイン投出指令信号（指令）をコネクタ付き電気配線１０を介してコイン投出装置の本体部が受信すると、駆動モータが所要数のコインを投出させるべく回転する。なお、検出センサはコインの検出信号をコネクタ付き電気配線１０を介して遊技機の本体部側に出力する。
【００３１】
本実施形態のコイン投出装置によれば、遊技機本体部に対する電気的接続用に本実施形態のコネクタ付き電気配線１０を備え、該コネクタ付き電気配線１０のコネクタ１が遊技機本体部に接続されて、該遊技機本体部からの指令を該コネクタ付き電気配線１０を介してコイン投出装置の本体部が受信しコインを投出するので、例えば針金等を差し込んでコネクタ内部への電気配線の接続部を意図的にショートさせるような不正行為によりコインを投出させられたり、該接続部に何らかの原因で導電部材が接触しショートすることにより誤動作を生じコインを投出してしまったりすることを防止できる。
【００３２】
また、本実施形態の遊技機は、例えばスロットマシン等であり、本実施形態のコネクタ付き電気配線１０を備える点の他は従来周知の遊技機と同様であるので、図示及び詳細な説明を省略する。
本実施形態の遊技機によれば、コネクタ付き電気配線１０を備えるので、上記のような不正行為等を防止できる。
【００３３】
なお、上記の実施の形態では、熱収縮チューブとして、熱収縮チューブ４と小径熱収縮チューブ５との２つのみを備える例について説明したが、熱収縮チューブを３つ以上備えるようにしても良い。つまり、コネクタ１の外径が電気配線２或いは結束チューブ３の径に比してあまりにも大きい場合には、熱収縮チューブ４と小径熱収縮チューブ５との２段構成としただけでは熱収縮チューブ４を好適に移動規制できない可能性がある。このような場合には、小径熱収縮チューブよりも小径の第２小径熱収縮チューブを、小径熱収縮チューブの外周部より電気配線における小径熱収縮チューブからの露出部にかけての部位に外挿し、第２小径熱収縮チューブを熱収縮させると良い。また、それでも熱収縮チューブ４の移動規制が十分でなければ、第２小径熱収縮チューブと同様に、第３小径熱収縮チューブ、第４小径熱収縮チューブ・・・を順に継ぎ足せば良い。
【００３４】
【発明の効果】
請求項１に記載の発明によれば、コネクタの外周部より電気配線における該コネクタからの露出部にかけての部位に外挿された状態で熱収縮することにより該部位を略密着状態で被覆した熱収縮チューブを備えるので、コネクタ内部への電気配線の接続部が熱収縮チューブによって外部から保護された状態となる。よって、例えば針金等を差し込んで該接続部を意図的にショートさせるような不正行為や、該接続部に何らかの原因で導電部材が接触してショートしてしまうことによる誤動作の発生を防止できる。
【００３５】
しかも、小径熱収縮チューブにより熱収縮チューブを移動規制したので、該熱収縮チューブがコネクタの外周部より電気配線における該コネクタからの露出部にかけての部位から脱落してしまうことを防止できる。
【００３６】
請求項２に記載の発明によれば、遊技機本体部に対する電気的接続用に請求項１に記載のコネクタ付き電気配線を備えるので、請求項１と同様の効果が得られる。
【００３７】
請求項３に記載の発明によれば、請求項１に記載のコネクタ付き電気配線を備えるので、請求項１と同様の効果が得られる。
【図面の簡単な説明】
【図１】熱収縮チューブ及び小径熱収縮チューブを備えるコネクタ付き電気配線を示す平面図である。
【図２】小径熱収縮チューブを取付ける前の状態のコネクタ付き電気配線を示す平面図である。
【図３】熱収縮チューブを備えていないコネクタ付き電気配線を示す図であり、このうち（ａ）は側面図、（ｂ）は平面図である。
【図４】電気配線のコネクタへの導入部近傍を示す斜視図である。
【符号の説明】
１　　コネクタ
１ａ　コネクタの一端面
２　　電気配線
１０　コネクタ付き電気配線
４　　熱収縮チューブ
５　　小径熱収縮チューブ
【図１】
2004103330.tif 000003
【図２】
2004103330.tif 000004
【図３】
2004103330.tif 000005
【図４】
2004103330.tif 000006